(57)【特許請求の範囲】
【請求項１】
金属製の上框、下框、および左右の竪框からなる框組みと、この框組みの室内外側のそれぞれに設けられる金属面材とで構成されるパネル体を備え、
前記框のうちの少なくとも前記パネル体の熱伸び方向に沿って設けられる框は、前記室内側および室外側の金属面材の一方にのみ接合される面材接合部を備え、前記金属面材の他方には接合されておらず、
前記パネル体内には断熱性を有する芯材が配置され、この芯材と前記熱伸び方向に沿って設けられる框とは室内外方向に重なっていないとともに、
前記芯材の室内外方向に沿った見込み寸法は前記框組みの見込寸法よりも大きくされ、この芯材の室内側および室外側の各面には前記室内側および室外側の各金属面材がそれぞれ接着されている建具。
【請求項２】
前記面材接合部は、前記室外側の金属面材に接合され、
前記框組みと前記室内側の金属面材との間には、室内外方向の互いの位置を維持するための位置決め部材が設けられている請求項１に記載の建具。
【請求項３】
前記パネル体の熱伸び方向に沿って設けられる框は、左右の竪框であり、これら左右の竪框の間には、当該左右の竪框に沿った仕切り框が設けられ、前記パネル体内において、前記芯材が前記仕切り框と前記左右の竪框のうちの吊り元側の竪框との間に配置されるとともに、前記仕切り框と前記左右の竪框のうちの戸先側の竪框との間が錠ケースを収納可能な収納空間とされている請求項１または請求項２に記載の建具。
【請求項４】
前記戸先側の竪框および前記仕切り框における室内側間には、断熱パネルが跨設され、この断熱パネルの室内側には、前記室内側の金属面材が接合されている請求項３に記載の建具。
【発明の詳細な説明】
【０００１】
【発明の属する技術分野】
本発明は、建具に係り、例えば、建物の玄関、勝手口などのドア等であって、特に日射を受けるドアなどに利用できる。
【０００２】
【背景技術】
従来より、玄関ドアのドアパネルは、金属製の上框、下框、および左右の竪框からなる框組みの室内外側面（表裏両面）に、鋼板等の金属面材を接着して構成されている。また、ドアパネルに要求される断熱性能に応じて、その内部には種々の断熱性能を有した芯材が設けられることが多い。
図９には、竪框９１を含む框組み９２の室内外側面に金属面材９３，９４が貼設されたドアパネル９０が示されている。このような竪框９１は、面内方向（見付方向）の内側に向けて開口した断面コ字形の形材など、室内外方向において対称形状のものが一般的である。
また、ドアパネル９０内に芯材９５が設けられた場合には、芯材９５における所定の位置に切欠き９５Ａが形成され、この切欠き９５Ａには錠ケース９６が収納される。そして、この錠ケース９６に設けられたラッチボルト９６Ａが、ドア枠９７側の受座９７Ａに係合することにより、ドアパネル９０がドア枠９７に収まるようになっている。
【０００３】
【発明が解決しようとする課題】
ところで、前述のドアパネル９０が日射を受けると、室外側の金属面材９３がその熱によって大きく熱伸びし、室内側の金属面材９４との間で熱伸び量に大きな差が生じることがある。
しかし、熱伸び量の差が大きいと、熱伸び方向（図９の紙面表裏方向）に沿って設けられた竪框９１では、室外側が金属面材９３と共に伸びようとするが、室内側は伸び量の小さい金属面材９４に拘束されるため、片伸び状態となって竪框９１自身が室外側に張り出すように反ってしまう。従って、ドアパネル９０の周縁部の強度を受け持つ竪框９１が反ることにより、ドアパネル９０全体が室外側に反ってしまうという問題が生じる。
このような問題は、ドア枠９７とドアパネル９０との間に隙間を生じさせて気密性や断熱性を低下させたり、光漏れを生じさせるだけではなく、ラッチボルト９６Ａがドア枠９７側の受座９７Ａに良好に係合しないなどの弊害を生じさせる可能性がある。
【０００４】
本発明の目的は、ドアパネルのようなパネル体の反りを生じ難くできる建具を提供することにある。
【０００５】
【課題を解決するための手段】
請求項１に記載の発明は、金属製の上框、下框、および左右の竪框からなる框組みと、この框組みの室内外側のそれぞれに設けられる金属面材とで構成されるパネル体を備え、前記框のうちの少なくとも前記パネル体の熱伸び方向に沿って設けられる框は、前記室内側および室外側の金属面材の一方にのみ接合される面材接合部を備え、前記金属面材の他方には接合されておらず、前記パネル体内には断熱性を有する芯材が配置され、この芯材と前記熱伸び方向に沿って設けられる框とは室内外方向に重なっていないとともに、前記芯材の室内外方向に沿った見込み寸法は前記框組みの見込寸法よりも大きくされ、この芯材の室内側および室外側の各面には前記室内側および室外側の各金属面材がそれぞれ接着されている建具である。
【０００６】
本発明によれば、熱伸び方向に沿って設けられた框は、面材接合部を介して室内側および室外側の金属面材の一方には接合するが、他方には接合しないので、室内側の金属面材における挙動と室外側の金属面材における挙動とは独立している。このため、面材接合部が室外側の金属面材に接合される場合には、日射によって室外側の金属面材が熱伸びすると、この室外側の金属面材に追従して框全体が一様に熱伸びするので、框自身の反りが抑制され、ひいてはパネル体の反りを有効に防止できる。一方、面材接合部が室内側の金属面材に接合される場合には、室外側の金属面材だけが自由に熱伸びして、框自身には熱伸びの影響が及ばないので、框自身、ひいてはパネル体の反りを有効に防止できる。
【０００７】
従って、パネル体に錠ケースを設置して、この錠ケースから突出するラッチボルトをドア枠側の受座に係合させる場合においても、パネル体の反りが防止されるので、ラッチボルトをドア枠側の受座に良好に係合させることができる。
また、芯材が各金属面材と接合されていることから、室外側の金属面材における熱伸びにより、芯材における室外側の金属面材側も歪みを生じることとなる。このため、芯材と框とが室内外方向に重なっていると、芯材との重なり部分を介して、芯材の歪みにより框にも歪みが生じ易くなる。これに対して本発明では、芯材と框とが室内外方向に重なっていないから、芯材の歪みと框の挙動とは独立しており、芯材を配置した場合でも框の歪み等が防止される。換言すれば、パネル体の歪みを防止しつつ、当該パネル体に良好な断熱性能を付与できる。
【０００８】
請求項２に記載の発明は、前記面材接合部を前記室外側の金属面材に接合し、前記框組みと前記室内側の金属面材との間に、室内外方向の互いの位置を維持するための位置決め部材を設けていることを特徴とする建具である。
熱伸び方向に沿って設けられる框において、室内側の金属面材と面材接合部とを接合し、かつ室外側の金属面材とは接合しない構成では、室外側の金属面材における挙動を拘束するものがほとんどないため、熱が加えられた室外側の金属面は、大きく熱伸びしてしまう可能性がある。これに対して本発明では、室外側の金属面と框とを接合することで全体の熱容量が大きくなるため、室外側の金属面材に熱が加えられても、この加えられた熱が、金属面材に接合された框にまで伝導されて拡散し、室外側の金属面材における熱伸び量を小さく抑えることができる。
【０００９】
また、框組みと室内側の金属面材との間に位置決め部材を配置したので、室内側の金属面材は、框組みに対する室内外方向の所定位置に維持される。
なお、位置決め部材としては、樹脂等の熱伝導率の小さな材料で形成することが望ましい。この場合には、室外側の金属面材に加えられた日射による熱が室内側の金属面材にはほとんど伝達されないので、室内側の金属面材における挙動と室外側の金属面材における挙動とが独立した状態を維持できる。
ただし、熱伝導率があまり小さくない材料で位置決め部材を形成する場合でも、框組みにおける上下の端部側等の必要な箇所に、短尺材等の小さな位置決め部材を配置することにより、室内側の金属面材を框組みに維持できるとともに、室外側の金属面材に加えられた熱が室内側の金属面材へと伝達されることを抑えることができる。
【００１１】
請求項３に記載の発明は、前記パネル体の熱伸び方向に沿って設けられる框は、左右の竪框であり、これら左右の竪框の間には、当該左右の竪框に沿った仕切り框が設けられ、前記パネル体内において、前記芯材が前記仕切り框と前記左右の竪框のうちの吊り元側の竪框との間に配置されるとともに、前記仕切り框と前記左右の竪框のうちの戸先側の竪框との間が錠ケースを収納可能な収納空間とされていることを特徴とする建具である。
このような構成では、左右の竪框の間に仕切り框を設けたので、パネル体の剛性を向上させることができ、パネル体の内部における一部に収納空間が設けられていても、十分なパネル強度を確保できる。
また、パネル体に錠ケースを配置する際には、戸先側の竪框と仕切り框との間に設けた収納空間に錠ケースを設置するだけでよいので、従来の構造（図９）における芯材への切欠き作業等が不要となり、錠ケースの取り付け作業における負担を軽減できる。
【００１２】
請求項４に記載の発明は、前記戸先側の竪框および前記仕切り框における室内側間には、断熱パネルが跨設され、この断熱パネルの室内側には、前記室内側の金属面材が接合されていることを特徴とする建具である。
このような構成では、吊り元側の竪框および仕切り框と、室内側の金属面材とが断熱パネルによって遮られるので、建具に十分な断熱性能を確保できる。
このように、各框と室内側の金属面材との間における空間を断熱パネルで塞いだので、この断熱パネルがスペーサーとして機能し、室内側の金属面材と框組みとの室内外方向の位置関係が良好に維持される。
【００１３】
【発明の実施の形態】
以下、本発明の一実施形態を図面に基づいて説明する。
図１は、本実施形態に係る建具としての玄関ドア１を示す外観姿図、図２は、図１における玄関ドア１の内部に設けられたパネル体としてのドアパネル２０を示す図、図３は、玄関ドア１を示す縦断面図、図４は、玄関ドア１を示す横断面図、図５は、玄関ドア１の戸先側の要部を拡大して示す横断面図、図６は、玄関ドア１の吊り元側の要部を拡大して示す横断面図、図７は、図６での要部を示す拡大斜視図である。
本発明の建具である玄関ドア１は、図１に示すように、いわゆる片開きドアであり、建物等の開口部に配置されるとともに、アルミ製の押出形材からなる上枠１１、下枠１２、および左右の縦枠１３を四周枠組みしたドア枠１０と、このドア枠１０内に配置されるドアパネル２０とを備えている。
【００１４】
以下、本実施形態の特徴的な構成を有するドアパネル２０を説明する。
図２において、ドアパネル２０は、略中央に縦長の開口部３０Ａが形成されたドアパネル本体３０と、この開口部３０Ａに設置される中窓５０とを備えて構成されている。
【００１５】
ドアパネル本体３０は、図２〜図４に示すように、それぞれ断面コ字状のアルミ製の押出形材からなる上框３１、下框３２、および左右の竪框を構成する戸先側竪框３３、吊り元側竪框３４で形成された框組み３５と、この框組み３５の室外側に接合される室外側の金属面材としての外鋼板３６と、この框組み３５の室内側に設けられるが、框組み３５の室内側には接合されない室内側の金属面材としての内鋼板３７とを備え、縦長の矩形状に形成されている。
【００１６】
框組み３５において、図２，４に示すように、上下の框３１，３２には、竪框３３，３４に沿った仕切り框４０の上端および下端が溶接されている。仕切り框４０は、竪框３３，３４と同じ断面コ字状で同じ断面寸法に形成され、そのコ字状の開口側と吊り元側竪框３４のコ字状の開口側とが互いに向き合っている。
【００１７】
各框３１〜３４，４０は、それぞれ面材接合部としての室外側端面３１Ａ，３２Ａ，３３Ａ，３４Ａ，４０Ａと、室内側端面３１Ｂ，３２Ｂ，３３Ｂ，３４Ｂ，４０Ｂとを備えている。この際、室外側端面３１Ａ，３２Ａ，３３Ａ，３４Ａ，４０Ａには、外鋼板３６が接合されるが、室内側端面３１Ｂ，３２Ｂ，３３Ｂ，３４Ｂ，４０Ｂには、内鋼板３７が接合されないようになっている。
【００１８】
また、框組み３５の内側は、仕切り框４０によって、戸先側竪框３３および仕切り框４０の間である戸先側空間４２と、吊り元側竪框３４および仕切り框４０の間である吊り元側空間４３との２つの縦長の空間に仕切られている。
【００１９】
図４の右側および図５に拡大して示すように、戸先側空間４２には、縦枠１３に設けられた受座１３Ａに対して進退して係脱するラッチボルト６１やデッドボルト（図示略）を有する錠ケース６０が収納され、この錠ケース６０は、戸先側竪框３３にビス止めされている。このラッチボルト６１は、戸先側竪框３３に取り付けられたドアノブ６２の操作により進退可能となっている。そして、この戸先側空間４２が、本発明の請求項５に示された収納空間である。
ここで、戸先側空間４２の見付寸法は、錠ケース６０の見付寸法よりもやや大きい程度であり、錠ケース６０を収納可能な必要最小限の大きさとされている。
【００２０】
一方、図４の左側に示すように、吊り元側空間４３には、ウレタンを発泡させた断熱ボード４１が配置されている。そして、断熱ボード４１の断熱性により、ドアパネル２０ひいては玄関ドア１全体が断熱ドアとして機能している。
【００２１】
断熱ボード４１は、図３も参照すれば、開口部３０Ａに対応する切欠きが形成された上側断熱ボード４１Ａと、この上側断熱ボード４１Ａの下側に開口部３０Ａを挟むように配置される下側断熱ボード４１Ｂとで構成され、室内外方向に沿った厚さ寸法（見込寸法）が、框組み３５の見込寸法よりも大きい。
【００２２】
断熱ボード４１の室外側の面は、框組み３５と同様に外鋼板３６に接着等され、その厚さ寸法が大きいことで、框組み３５より室内側に位置する室内側の面が、内鋼板３７に接着等されている。これにより、断熱ボード４１の厚さ寸法が大きい分、框組み３５と内鋼板３７とは、室内外方向に離間することになり、内鋼板３７は、框組み３５に接合されない。また、ドアパネル本体３０内の断熱ボード４１が補強材として機能し、ドアパネル本体３０の強度が十分に確保されるようになっている。
【００２３】
このような断熱ボード４１（４１Ａ，４１Ｂ）は、熱伸び方向に沿って設けられる框である吊り元側竪框３４および仕切り框４０に加えて、上下の框３１，３２とは室内外方向に重ならない位置に設けられている。つまり、断熱ボード４１が、框３１，３２，３４，４０のコ字型部分の内部に入り込んでいないこととなる。
【００２４】
さらに、下側断熱ボード４１Ｂの上面には、図３に示すように、切欠き状の排水溝４１Ｂ１が、断熱ボード４１Ｂの横方向の全長に渡って形成されている。この下側断熱ボード４１Ｂの左右両端は、吊り元側竪框３４および仕切り框４０のコ字形状の開口側の先端に当接されている。このため、中窓５０の隙間から入り込んだ雨水等は、排水溝４１Ｂ１で受けられて、吊り元側竪框３４および仕切り框４０におけるコ字形の内部空間を通って下方へ流れ、下框３２に形成された図示しない排水孔から室外側へと排出されるようになっている。
【００２５】
また、図４，５に示すように、断熱ボード４１の厚さ寸法と框組み３５の見込寸法の差によって生じる框組み３５の室内側と内鋼板３７との隙間には、室内外方向の互いの位置（間隔）を維持するためのスペーサーとなる断熱パネル３８および位置決め樹脂ブロック３９が配置されている。
【００２６】
断熱パネル３８は、断熱性を有する板材であって、戸先側竪框３３および仕切り框４０の室内側に跨設されており、断熱パネル３８の室外側面は、上下の框３１，３２における室内側端面３１Ｂ，３２Ｂの戸先側の一部と（図示略）、戸先側竪框３３、仕切り框４０における室内側端面３３Ｂ，４０Ｂの全面とに両面テープ等で仮止めされ、その室内側面は、内鋼板３７に接着剤で接着されている。
【００２７】
位置決め樹脂ブロック３９は、図６，７に示すように、吊り元側竪框３４の室内側端面３４Ｂと内鋼板３７との間に配置されるとともに、互いの室内外方向の位置（間隔）を維持するためのスペーサーとして機能する略直方体状で樹脂製の部材であり、直方体で短尺状のブロック本体３９Ａと、このブロック本体３９Ａの室外側面から突出する一対の突出片３９Ｂとを備えて構成される。
【００２８】
また、図７に示すように、吊り元側竪框３４の室内側端面３４Ｂにおける下側には、長方形の係止孔３４Ｂ１が２つ形成されている。これら２つの係止孔３４Ｂ１には、位置決め樹脂ブロック３９の一対の突出片３９Ｂがそれぞれ挿入される。そして、各突出片３９Ｂに形成された爪部３９Ｂ１が、室内側端面３４Ｂと係合することにより、位置決め樹脂ブロック３９が、室内側端面３４Ｂに係止されるようになっている。
従って、直方体状のブロック本体３９Ａが、吊り元側竪框３４の室内側端面３４Ｂと、内鋼板３７とに当接することとなり、吊り元側竪框３４および内鋼板３７における室内外方向の互いの位置（間隔）が維持されている。
【００２９】
なお、図示を省略しているが、吊り元側竪框３４の室内側端面３４Ｂにおける上側にも、下側と同様の係止孔が形成されており、下側と同様に位置決め樹脂ブロック３９が取り付けられている。このため、吊り元側竪框３４と内鋼板３７との間の隙間が、上下に渡って同じ大きさで維持されている。
【００３０】
以上説明したように、ドアパネル２０のパネル本体３０では、外鋼板３６は、接着剤によって、各框３１〜３４，４０における室外側端面３１Ａ，３２Ａ，３３Ａ，３４Ａ，４０Ａおよび断熱ボード４１の室外側面に接着されているが、内鋼板３７は、接着剤によって、断熱ボード４１の室内側面、断熱パネル３８の室内側面、および位置決め樹脂ブロック３９のブロック本体３９Ａに接着されており、各框３１〜３４，４０の室内側端面３１Ｂ，３２Ｂ，３３Ｂ，３４Ｂ，４０Ｂには接合されていない。
【００３１】
中窓５０は、図３，４に示すように、ドアパネル本体３０に形成された開口部３０Ａ内に嵌め込まれる複層ガラス５１と、この複層ガラス５１を室内外面側から挟持する額縁５２とを備えて構成されている。このように、中窓５０に複層ガラス５１を採用したので、ドアパネル２０における採光性や意匠性を確保されるとともに、防音性や断熱性の低下が抑えられている。
【００３２】
額縁５２は、複層ガラス５１を保持するとともに、ドアパネル２０を化粧するための部材であり、図２〜図４に示すように、室内側から複層ガラス５１を保持するアルミ製の内額縁５３と、室外側から複層ガラス５１を保持するアルミ製の外額縁５４と、これらの額縁５３，５４の間に配置されて、両額縁５３，５４を連結する樹脂製の取付部材５５とを備えて構成される。ここで、各額縁５２（５３，５４）は、図１，２に示すように、形材の端部同士を４５度接合することで枠組みされている。
【００３３】
図４に示すように、内額縁５３と外額縁５４とが対面する側（裏面側）には、爪を有する嵌合凹部５３Ａ，５４Ｂがそれぞれ形成されている。
一方、取付部材５５には、内額縁５３の嵌合凹部５３Ａに嵌合される嵌合凸部５５Ａと、外額縁５４の嵌合凹部５４Ｂに嵌合される嵌合凸部５５Ｂとが形成されており、嵌合凹部５３Ａ，５４Ｂおよび嵌合凸部５５Ａ，５５Ｂが嵌合された際には、嵌合凸部５５Ａ，５５Ｂが、嵌合凹部５３Ａ，５４Ｂの爪に係止されて、嵌合が外れないようなスナップ構造とされている。なお、このような取付部材５５は、額縁５３，５４の大きさに合わせて複数個配置されている。
【００３４】
また、嵌合凸部５５Ａ，５５Ｂ同士は、別体として形成されており、図４における上下方向（紙面表裏方向）に沿って互いにスライドする構造となっている。これにより、外鋼板３６がドアパネル２０の上下方向に沿って熱伸びしても、この熱伸びに対して外額縁５４だけが追従して、内額縁５３は追従しないようになっている。このため、外額縁５４とドアパネル２０における開口部４０Ａとの間に、外鋼板３６の熱伸びに対応する分のクリアランスを取っておくことで、外鋼板３６の熱伸びによる影響が外額縁５４に何ら及ばないようになっている。
【００３５】
以上のような構成のドアパネル２０において、ドアパネル２０の室外側が日射を受けると、外鋼板３６が上下方向（熱伸び方向）に沿って伸びる。
この際、外鋼板３６と框組み３５とが、各框３１〜３４，４０における室外側端面３１Ａ，３２Ａ，３３Ａ，３４Ａ，４０Ａを介して接着されているので、外鋼板３６の熱伸びに追従して、熱伸び方向に沿った竪框３３，３４および仕切り框４０が上下方向に伸びる。
【００３６】
これに対し、框組み３５の室内側と内鋼板３７とは、断熱パネル３８を介して、各框３３，３４，４０の室内側端面３３Ｂ，３４Ｂ，４０Ｂにおいて仮止めされているだけであるから、框組み３５と内鋼板３７とは接合されておらず、外鋼板３６や框組み３５の熱伸びの影響を受けない。
【００３７】
このような本実施形態によれば、以下のような効果がある。
(１)玄関ドア１のドアパネル２０において、熱伸び方向に沿って設けられた框３３，３４，４０と内鋼板３７とが接合されていないので、内鋼板３７における挙動と外鋼板３６における挙動とは独立している。従って、内鋼板３７等に関係なく、外鋼板３６と框３３，３４，４０とが一様に熱伸びするので、框３３，３４，４０自身の反りが抑制され、ひいてはドアパネル２０の反りを有効に防止できる。このことにより、錠ケース６０のラッチボルト６１やデットボルトを、ドア枠１０側の受座１３Ａに良好に係合させることができる。
【００３８】
(２)外鋼板３６と内鋼板３７とは、断熱ボード４１や断熱パネル３８、熱伝導率の低い位置決め樹脂ブロック３９を介して接合されているので、室内外間における熱伝導を確実に抑えることができる。このため、玄関ドア１において十分な断熱性能を確保できる。
【００３９】
(３)外鋼板３６と框組み３５とを接合したので、外鋼板３６に框組み３５が接合されていない場合に比べて、外鋼板３６側での熱容量が大きくなるため、外鋼板３６に加えられた熱が、接合された框組み３５にまで伝導して拡散し、外鋼板３６の熱伸び量そのものを抑えることができる。
【００４０】
(４)内鋼板３７と吊り元側竪框３４との間に、位置決め樹脂ブロック３９を配置したので、内鋼板３７の室外側への折曲等を確実に防止できる。この際、短尺の位置決め樹脂ブロック３９を吊り元側竪框３４の上下側に１つずつ配置したので、内鋼板３７の上下の両端側が固定されることにより、内鋼板３７の室外側への折曲等をより確実に防止できる。また、このように短尺の位置決め樹脂ブロック３９を必要最小限の数だけ配置したので、内鋼板３７の固定を確実なものにするとともに、余分な熱伝導を抑えることにより、玄関ドア１の断熱性能を確保できる。
【００４１】
(５)断熱ボード４１と各框３１，３２，３４，４０とは室内外方向で一切重なり部分がないため、断熱ボード４１の歪みが框３４，４０に対して影響を及ぼさない。このため、外鋼板３６が熱伸びして断熱ボード４１に歪み等が生じても框３１，３２，３４，４０における歪み等の発生を確実に防止できる。さらに、断熱ボード４１を框３１，３２，３４，４０に接触すらさせなければ、より一層確実に、框３１，３２，３４，４０における歪み等の発生を防止できる。
【００４２】
(６)左右の竪框３３，３４の間に仕切り框４０を設けたので、ドアパネル２０の剛性を向上させることができ、ドアパネル２０内の一部に中空状の戸先側空間４２が設けられていても、十分なドアパネル２０の強度を確保できる。
【００４３】
(７)ドアパネル２０に錠ケース６０を配置する際には、ドアパネル２０に錠ケース６０を収納可能な戸先側空間４２を設け、この戸先側空間４２に錠ケース６０を設置するだけでよいので、従来のように、ドアパネル内の芯材に切欠きを形成して配置する作業を不要にでき、錠ケース６０の取り付け作業における負担を軽減できる。
【００４４】
(８)戸先側空間４２の寸法を錠ケース６０が収まる程度の寸法としたので、ドアパネル２０の錠ケース６０部分における剛性を維持できる。これにより、錠ケース６０において歪み等が生じ難いため、より確実にラッチボルト６１等を受座１３Ａに係合させることができる。
【００４５】
(９)框３３，４０と内鋼板３７との間に、スペーサーとなる断熱パネル３８を配置したので、この断熱パネル３８が裏打ち材として機能し、内鋼板３７の窪み等の変形を防止できる。この際、スペーサーとして断熱パネル３８を採用したので、断熱性を有する芯材４１がこの位置になくても、十分な断熱性能を確保できる。
【００４６】
なお、本発明は、前記実施の形態に限定されるものではなく、本発明の目的を達成できる範囲での変形、改良等は本発明に含まれるものである。
例えば、戸先側竪框において、室外側端面の見付寸法および室内側端面の見付寸法は、同じでなくともよく、任意に設定できる。
図８には、このような変形例としてのドアパネル１００における戸先側の要部が示されている。
このドアパネル１００を構成する戸先側竪框１０１において、室外側端面１０１Ａの見付寸法は、戸先側空間１４２の見付寸法と略同じであって、室内側端面１０１Ｂの見付寸法より大きくなるように形成されている。このため、室外側端面１０１Ａが、外鋼板１０２の裏打ち材として機能し、外鋼板１０２の窪み等の変形を防止できる。
また、室外側端面１０１Ａの面積が大きくなると、外鋼板１０２の熱容量が大きくなるため、外鋼板１０２に加えられた熱が、より一層効果的に拡散され、外鋼板１０２の熱伸びを小さく抑えることができる。
なお、このような点は戸先側竪框に限らず、吊り元側竪框や上框等のその他の框においても同様である。
【００４７】
また、本実施形態において、外鋼板３６の室外側面には、特に何も設けていないが、例えば、外鋼板３６の室外側面に化粧パネルを取り付けて、ドアパネル２０の意匠性を向上させる目的の他、外鋼板３６に日射が直に照射するのを防ぐようにしてもよい。
【００４８】
また、本実施形態において、断熱性を有する芯材としては、ウレタンを発泡させた断熱ボード４１を採用したが、これに限らず、例えば、単層のペーパーハニカムコアや、ペーパーハニカムコアを重ねた複層構造のもの、単層または複層構造のペーパーロールコアを用いたもの、樹脂製や木製のもの等の各種芯材を採用できる。要するに、芯材の構造や材質等は、要求される断熱性能に応じて決めればよい。
【００４９】
本実施形態のドアパネル２０において、框組み３５の室外側面に外鋼板３６を接着し、框組み３５の室内側面と内鋼板３７とが接着しない構成を採用しているが、これとは逆に、框組み３５の室内側面に内鋼板３７を接着し、框組み３５の室外側面と外鋼板３６とが接着しない構成としてもよい。つまり、框組み３５は、外鋼板３６および内鋼板３７の一方と接合し、他方とは接合しない構成とすればよいことになる。ただし、本実施形態の方が、外鋼板３６側の熱容量が大きくなるので、外鋼板３６に加えられた熱が框組みへと伝導して拡散し、外鋼板３６が熱伸びし難いという利点がある。
【００５０】
本実施形態において、戸先側竪框３３および仕切り框４０の室内側に断熱パネル３８を配置したが、框組み３５に対して、内鋼板３７の剛性が大きくて凹み難い場合など、内鋼板３７が室内外方向へ位置ずれし難い場合には、特に配置しなくてもよい。また、断熱パネル３８を、断熱性を有していないスペーサーとしてもよい。ただし、本実施形態の方が、内鋼板３７の変形やずれの防止、およびドアパネル２０の断熱性等の点に優れるという利点がある。
【００５１】
また、断熱パネル３８を、戸先側竪框３３および仕切り框４０を跨設するように構成したが、これに限らず、例えば、框組み３５の室内側の全面に渡って配置されるように構成してもよい。この場合には、断熱ボード４１の厚さ寸法を框組み３５の厚さ寸法と同じ程度に構成すればよい。
【００５２】
本実施形態において、断熱ボード４１と各框３１，３２，３４，４０とは、室内外方向に一切重ならない構成としたが、各框３１，３２，３４，４０の一部もしくは全部が重なるような構成としてもよい。ただし、本実施形態の方が、各框３１，３２，３４，４０における歪み等の発生を確実に防止できるという利点がある。
【００５３】
本実施形態において、戸先側空間４２の寸法を錠ケース６０が収まる程度の寸法としたが、この寸法は特に限定されず任意の寸法としてよい。ただし、本実施形態の方が、ドアパネル２０の錠ケース６０部分における剛性を維持できるうえ、確実にラッチボルト６１等を受座１３Ａに係合させることができるという利点がある。
【００５４】
なお、各框としては、本実施形態のようなアルミ製の押出形材に限らず、例えば、鋼材等であってもよい。
【００５５】
本実施形態において、仕切り框４０を上下の框３１，３２に対して取り付ける際に、溶接により行っていたが、連結金具等を用いて行ってもよい。連結のための手段は、特に限定されない。
【００５６】
本実施形態において、ドアパネル２０を縦長の矩形状としたが、これに限らず、例えば、横長の矩形状や、略正方形状としてもよく、このような場合でも、それぞれの熱伸び方向に沿って配置される框に対して、本発明に係る構造を適用できる。
【００５７】
本実施形態において、本発明の建具を玄関ドア１としたが、これに限らず、勝手口のドアや、建物内において使用されるドア等の各種のドア、さらにはドア以外の建具とすることができる。
【００５８】
【発明の効果】
以上に述べたように、本発明によれば、熱伸び方向に沿って設けられた框が、室内側および室外側の金属面材の一方には接合するが、他方には接合しないので、室内側および室外側の金属面材における挙動がそれぞれ独立する。従って、面材接合部が室外側の金属面材に接合される場合には、日射によって室外側の金属面材が熱伸びすると、この室外側の金属面材に追従して框全体が一様に熱伸びする。一方、面材接合部が室内側の金属面材に接合される場合には、室外側の金属面材だけが自由に熱伸びして、框自身には熱伸びの影響が及ばない。このように、いずれの場合においても、框自身の反りが抑制され、ひいてはパネル体の反りを有効に防止できるという効果がある。
【図面の簡単な説明】
【図１】本発明の一実施形態に係る建具としてのドアを示す外観姿図である。
【図２】図１において、前記ドアの内部に設けられたドアパネルを示す図ある。
【図３】前記ドアを示す縦断面図である。
【図４】前記ドアを示す横断面図である。
【図５】前記ドアの戸先側の要部を拡大して示す横断面図である。
【図６】前記ドアの吊り元側の要部を拡大して示す横断面図である。
【図７】図６での要部を示す拡大斜視図である。
【図８】本発明の変形例の要部を拡大して示す横断面図である。
【図９】従来のドアを示す横断面図である。
【符号の説明】
１…建具である玄関ドア、２０，１００…パネル体としてのドアパネル、３１…上框、３１Ａ，３２Ａ，３３Ａ，３４Ａ，４０Ａ，１０１Ａ…室外側端面、３２…下框、３３，１０１…左右の竪框を構成する戸先側竪框、３４…左右の竪框を構成する吊り元側竪框、３５…框組み、３６，１０２…室外側の金属面材としての外鋼板、３７…室内側の金属面材としての内鋼板、３８…断熱パネル、３９…位置決め部材としての位置決め樹脂ブロック、４０…仕切り框、４１…芯材としての断熱ボード、４２…収納空間としての戸先側空間、６０…錠ケース
【図１】
0003691410.tif 000002
【図２】
0003691410.tif 000003
【図３】
0003691410.tif 000004
【図４】
0003691410.tif 000005
【図５】
0003691410.tif 000006
【図６】
0003691410.tif 000007
【図７】
0003691410.tif 000008
【図８】
0003691410.tif 000009
【図９】
0003691410.tif 000010